(57)【要約】【課題】パウダーを使い切っても容易に継続使用することができ、しかも、パフ本体や周囲の他物等を汚すことがなく、仕上がり状態も良好で、しかも、作業に高度な技術を要せず、少ない工程で容易に縫製することができ、安価なパフを提供する。【解決手段】少なくとも一部がパウダー化粧料４の通過面に形成された袋状のパフ本体１と、少なくとも一部がパウダー化粧料４の通過面に形成され上記パフ本体１内に収容されたパウダー化粧料４収容用の内袋６とを備えている。そして、上記パフ本体１に反転通過用開口部１１を設け、上記内袋６からパウダー化粧料４充填用の充填口部１４を延設し、この充填口部１４を上記パフ本体１内に収容可能にし、かつ、上記パフ本体１の反転通過用開口部１１からパフ本体１外に延出可能に構成している。【選択図】図４
2005296495.tif 000002
【特許請求の範囲】
【請求項１】
少なくとも一部がパウダーの通過面に形成された袋状のパフ本体と、少なくとも一部がパウダーの通過面に形成され上記パフ本体内に収容されたパウダー収容用の内袋とを備え、上記パフ本体に開口部を設け、上記内袋からパウダー充填用の充填口部を延設し、この充填口部を上記パフ本体内に収容可能にし、かつ、上記パフ本体の開口部からパフ本体外に延出可能に構成したことを特徴とするパフ。
【請求項２】
上記パフ本体内に内袋とともにクッション材が収容されている請求項１記載のパフ。
【請求項３】
上記内袋の片面がパウダーの通過面に形成され、この通過面が、パフ本体に形成されたパウダーの通過面に対向している請求項１または２記載のパフ。
【請求項４】
上記充填口部が、その内部通路が閉じられた状態でパフ本体内に収容されている請求項１〜３のいずれか一項に記載のパフ。
【請求項５】
上記パフ本体内に収容された充填口部をパフ本体の開口部からパフ本体外に引き出すための引き出し手段を備えている請求項１〜４のいずれか一項に記載のパフ。
【請求項６】
少なくとも一部がパウダーの通過面に形成されたパフ本体を構成する２枚の基材を、それぞれの表面側を対向させて重ね合わせ、ついで、これら２枚の基材の外周部を、一部を開口部として残して接合し、つぎに、上記２枚の基材に、少なくとも一部がパウダーの通過面に形成された内袋を、この内袋から延設されるパウダー充填用の充填口部を上記開口部に対応する位置から上記両基材外に延出させた延出状態で、重ね合わせ、つぎに、上記両基材を上記開口部を通過させて反転させながら、上記延出状態を保持して上記内袋をも上記開口部を通過させることにより、上記開口部からパフ本体外に上記充填口部を延出させた状態で、内袋が内蔵された袋状のパフ本体を作製し、つぎに、上記充填口部に形成されたパウダーの充填口からパウダーを充填して内袋内に収容したのち、上記充填口部をパフ本体内に収容するようにしたことを特徴とするパフの製造方法。
【請求項７】
上記両基材に、内袋とクッション材を重ね合わせ、上記両基材を上記開口部を通過させて反転させながら、上記内袋とクッション材をも上記開口部を通過させることにより、内袋とクッション材が内蔵された袋状のパフ本体を作製するようにした請求項６記載のパフの製造方法。
【請求項８】
上記充填口部の充填口からパウダーを充填したのち、上記充填口部の内部通路を閉じた状態で上記充填口部をパフ本体内に収容するようにした請求項６または７記載のパフの製造方法。
【請求項９】
上記パフ本体内に収容された充填口部をパフ本体の開口部よりパフ本体外に延出させて上記充填口部の内部通路を開け、その状態で上記充填口部の充填口からパウダーを再充填して内袋内に収容し、そののち、上記充填口部の内部通路を閉じた状態で再度上記充填口部をパフ本体内に収容するようにした請求項８記載のパフの製造方法。
【請求項１０】
請求項１記載のパフの内袋内に充填するためのパウダーが収容されたパフ用パウダー収容容器であって、少なくとも一部が、内袋から延設した充填口部に挿入可能な形状に形成され、この挿入可能な部分に開封可能部が形成され、この開封可能部を開封した状態で、上記収容されたパウダーを内袋内に充填するようにしたことを特徴とするパフ用パウダー収容容器。
【発明の詳細な説明】
【技術分野】
【０００１】
本発明は、内部に化粧用，薬用等のパウダーを収容可能なパフおよびその製造方法並びにパフ用パウダー収容容器に関するものである。
【背景技術】
【０００２】
従来から、内部にパウダー化粧料等のパウダーを収容したパフがよく用いられている。このようなパフとして、図１７に示すように、布製の袋３１内に、内部に粉３２ａを入れた布袋３２と、スポンジ等の成形剤３３とを収容するようにした粉内蔵のパフが提案されている（例えば、特許文献１参照）。図において、３１ａは上記袋３１の片側面に設けた毛である。
【０００３】
また、パフの製造方法としては、図１８に示すように、内部にスポンジ等の弾性材３５を収容した化粧用パフの製造方法であって、上側生地３６の起毛面３６ａと下側生地３７の起毛面３７ａとを対面させた状態で上記両生地３６，３７を重ね合わせ、ついで、上記両生地３６，３７の周縁近傍部分を、その一部を残した状態で縫着し、つぎに、上記一部に形成される開口（すなわち、反転用開口）（図示せず）に上記両生地３６，３７を通して反転させながら上記反転用開口に弾性材３５を挿入し、これにより、内部に弾性材３５を収容するようにした方法が提案されている（例えば、特許文献２参照）。
【０００４】
また、図１９に示すように、内部に内袋３９とスポンジ体等のクッション材４０とを収容し上記内袋３９内にパウダー３９ａを内蔵したパウダー入り縫製パフの製造方法であって、布帛４２（後述するパフ本体４１の片面を構成する）と、略中央で重ね合わせた上下一対の布帛４３，４４（上記パフ本体４１の片面と反対側の面を構成する）とを中表状態に重ね合わせ、ついで、これら各布帛４２〜４４の周縁部の全周を縫合わせて袋状にすることでパフ本体４１を作製し、つぎに、上記上下一対の布帛４３，４４の重ね合わせ部分に形成される開口４５に上記布帛４２〜４４を通して裏返したのち、上記開口４５から内袋３９とクッション材４０を挿入するようにした方法も提案されている（例えば、特許文献３参照）。
【特許文献１】実開昭５８−７１３１４号公報
【特許文献２】特開平１０−２３９２０号公報
【特許文献３】実用新案登録第３０７６４０６号公報
【発明の開示】
【発明が解決しようとする課題】
【０００５】
しかしながら、図１７に示す粉内蔵のパフでは、布袋３２内に収容された粉３２ａを使い切ると、新しい粉内蔵のパフを買わなければならないという問題がある。また、図１８に示す化粧用パフは、内部に弾性材３５だけを収容しているが、上記の粉内蔵のパフのように、化粧用パフ内に弾性材３５とともに、粉３２ａを入れた布袋３２をも収容する場合には、その製造方法において、上側生地３６と下側生地３７とを反転させるときに、布袋３２内の粉３２ａが布袋３２外に漏れたり、こぼれたりして、弾性材３５や周囲の他物を汚したり、仕上がり状態が悪くなったりするという問題がある。しかも、上記反転時に、弾性材３５のような弾性を有しない（粉３２ａを入れた）布袋３２を、反転用開口のような小さい穴に通す作業は、かなり高度な技術を要することであり、容易には行えないという問題もある。しかも、布袋３２内の粉３２ａを使い切ると、新しいパフを購入し、もしくは内部から布袋３２を取り出して新しい布袋３２と交換し、これを内部に収容しなければならないという問題もある。
【０００６】
また、図１９に示すパウダー入り縫製パフの製造方法でも、上下一対の布帛４３，４４の重ね合わせ部分に形成される開口４５から内袋３９を挿入するときに、内袋３９内のパウダー３９ａが内袋３９外に漏れたり、こぼれたりして、クッション材４０や周囲の他物を汚したり、仕上がり状態が悪くなったりするという問題がある。しかも、内袋３９内のパウダー３９ａを使い切ると、新しいパフを購入し、もしくは内部から内袋３９を取り出して新しい内袋３９と交換し、これを内部に収容しなければならないという問題もある。しかも、３枚の布帛４２〜４４を使用しているため、原料コストがアップし、部品点数が増えるうえ、縫製する工程も増えるという問題もある。しかも、上記上下一対の布帛４３，４４の重ね合わせ状態を美しくするために、上記両布帛４３，４４の位置合わせが重要となり、縫製自体が複雑となるうえ、製造コストがアップするという問題もある。
【０００７】
本発明は、このような事情に鑑みなされたもので、パウダーを収容せずに使用することもでき、パウダー内蔵の場合も、パウダーを使い切っても容易に継続使用することができ、しかも、パフ本体や周囲の他物を汚すことがなく、仕上がり状態も良好で、しかも、作業に高度な技術を要せず、少ない工程で容易に縫製することができ、安価で、パウダーを内蔵可能なパフおよびその製造方法並びにパフ用パウダー収容容器の提供をその目的とする。
【課題を解決するための手段】
【０００８】
上記の目的を達成するため、本発明は、少なくとも一部がパウダーの通過面に形成された袋状のパフ本体と、少なくとも一部がパウダーの通過面に形成され上記パフ本体内に収容されたパウダー収容用の内袋とを備え、上記パフ本体に開口部を設け、上記内袋からパウダー充填用の充填口部を延設し、この充填口部を上記パフ本体内に収容可能にし、かつ、上記パフ本体の開口部からパフ本体外に延出可能に構成したパフを第１の要旨とし、少なくとも一部がパウダーの通過面に形成されたパフ本体を構成する２枚の基材を、それぞれの表面側を対向させて重ね合わせ、ついで、これら２枚の基材の外周部を、一部を開口部として残して接合し、つぎに、上記２枚の基材に、少なくとも一部がパウダーの通過面に形成された内袋を、この内袋から延設されるパウダー充填用の充填口部を上記開口部に対応する位置から上記両基材外に延出させた延出状態で、重ね合わせ、つぎに、上記両基材を上記開口部を通過させて反転させながら、上記延出状態を保持して上記内袋をも上記開口部を通過させることにより、上記開口部からパフ本体外に上記充填口部を延出させた状態で、内袋が内蔵された袋状のパフ本体を作製し、つぎに、上記充填口部に形成されたパウダーの充填口からパウダーを充填して内袋内に収容したのち、上記充填口部をパフ本体内に収容するようにしたパフの製造方法を第２の要旨とし、上記のパフの内袋内に充填するためのパウダーが収容されたパフ用パウダー収容容器であって、少なくとも一部が、内袋から延設した充填口部に挿入可能な形状に形成され、この挿入可能な部分に開封可能部が形成され、この開封可能部を開封した状態で、上記収容されたパウダーを内袋内に充填するようにしたパフ用パウダー収容容器を第３の要旨とする。
【発明の効果】
【０００９】
すなわち、本発明のパフは、パフ本体内に収容されたパウダー収容用の内袋からパウダー充填用の充填口部を延設し、この充填口部を上記パフ本体内に収容可能にし、かつ、上記パフ本体の開口部からパフ本体外に延出可能に構成している。したがって、本発明のパフでは、内袋内に収容したパウダーを使い切っても、パフ本体内に収容した充填口部をパフ本体の開口部からパフ本体外に延出し、上記充填口部から交換用のパウダーを充填して内袋内に収容したのち、再度充填口部をパフ本体内に収容することができ、これにより、内袋に簡単にパウダーを充填することができ、継続使用が可能になるうえ、パウダーの交換だけであるため、安価でもある。しかも、本発明のパフの製造方法では、パフ本体を構成する２枚の基材を反転させる作業は、パウダーを収容していない内袋を用いて行うことができる。したがって、パウダーが内袋のパウダーの通過面から漏れたり、こぼれたりして、パフ本体や周囲の他物等を汚したり、仕上がり状態が悪くなったりすることがないうえ、上記開口部を通過させやすくなり、高度な技術を必要とせず、作業が非常にしやすくなる。しかも、最終工程でパウダーを内袋内に充填するため、工程中でパフ本体や周囲の他物等を汚すことがない。しかも、２枚の基材だけでパフ本体を作製することができ、原料コストが安価になる。しかも、上記両基材を接合する際にも、位置合わせをしたり、段階的に縫製したりする必要がなく、少ない工程で容易に縫製することができ、製造コストが安価になる。また、本発明のパフ用パウダー収容容器によれば、その開封可能部を開封した状態で、パウダーを内袋内に容易に充填することができ、便利である。なお、本発明において、「パウダー」とは、メイクアップ用の化粧用パウダーでも、シッカロール（Ｒ）やベビーパウダー等の薬用パウダーでも、その他の各種パウダーでもよい。すなわち、本発明のパフは、パウダー内蔵用パフとして用いると、最適である。
【００１０】
本発明のパフにおいて、上記パフ本体内に内袋とともにクッション材が収容されていると、上記パフ本体の成形性が良く、しかも、扱いやすくなる。一方、本発明のパフの製造方法において、上記両基材に、内袋とクッション材を重ね合わせ、上記両基材を上記開口部を通過させて反転させながら、上記内袋とクッション材をも上記開口部を通過させることにより、内袋とクッション材が内蔵された袋状のパフ本体を作製すると、製造されたパフは、上記の優れた効果を奏する。
【００１１】
本発明のパフにおいて、上記内袋の片面がパウダーの通過面に形成され、この通過面が、パフ本体に形成されたパウダーの通過面に対向していると、上記内袋内に収容されたパウダーが、内袋のパウダーの通過面を通過して内袋外に出たのち、パフ本体のパウダーの通過面を通過してパフ本体外に出て来るため、素早くパウダーをパフ本体外に取り出すことができる。
【００１２】
本発明のパフにおいて、上記充填口部が、その内部通路が閉じられた状態でパフ本体内に収容されていると、上記内袋内に収容されたパウダーが、充填口部の内部通路を通って内袋外に出て来ることが防止される。一方、本発明のパフの製造方法において、上記充填口部の充填口からパウダーを充填したのち、上記充填口部の内部通路を閉じた状態で上記充填口部をパフ本体内に収容するようにすると、製造されたパフは、上記の優れた効果を奏する。なお、本発明において、「充填口部が、その内部通路が閉じられた状態で」とは、「パウダーが充填口部から漏れ出ない状態にする」ことを意味し、例えば、充填口部を折り畳むことや充填口部を捻じることが考えられる。
【００１３】
本発明のパフにおいて、上記パフ本体内に収容された充填口部をパフ本体の開口部からパフ本体外に引き出すための引き出し手段を備えていると、パウダーを使い切った場合にも、上記引き出し手段により充填口部をパフ本体の開口部からパフ本体外に引き出し、交換用のパウダーを再充填して内袋内に収容することで、継続使用が可能になる。
【００１４】
本発明のパフの製造方法において、上記パフ本体内に収容された充填口部をパフ本体の開口部よりパフ本体外に延出させて上記充填口部の内部通路を開け、その状態で、上記充填口部の充填口からパウダーを再充填して内袋内に収容し、そののち、上記充填口部の内部通路を閉じた状態で再度上記充填口部をパフ本体内に収容するようにすると、上記内袋内に収容されたパウダーを使い切ったのち、上記内袋内にパウダーを再充填し、継続使用することができる。
【発明を実施するための最良の形態】
【００１５】
つぎに、本発明の実施の形態を図面にもとづいて詳しく説明する。
【００１６】
図１〜図４は本発明のパウダー内蔵用パフの一実施の形態を示している。この実施の形態では、パウダー内蔵用パフとして化粧用パフを用い、パウダーとしてパウダー化粧料を用いている。これらの図において、１は袋状に形成されたパフ本体であり、上下一対の布帛（基材）２，３の外周縁部同士を、後述する反転通過用開口部１１（図４参照）を除いた状態で縫製したもので構成されている。上記両布帛２，３としては、織物，編物，不織布等からなる基体２ａ，３ａの表面に、パウダー化粧料４が付着するのに適したパイル２ｂ，３ｂ等を設けたものが用いられている。また、上記両布帛２，３の基体２ａ，３ａのうち、少なくとも下側布帛３の基体３ａは、その目が粗く形成されており、これにより、パウダー化粧料４が通過しうるパウダー化粧料４の通過面に形成されている。
【００１７】
５は上記上側布帛２にこれを前後に横断するようにして配設されたテープである。このテープ５は、その両端部（この実施の形態では、前後両端部）が上記下側布帛３の外周縁部の相対向する端部（この実施の形態では、前後両端部）に固定されたものである（すなわち、下側布帛３の表面側に前後横断状に架設されたものである）が、使用状態では、上記したように、上方に折り返されて上側布帛２の表面側に配設されるようにしている。また、上記両布帛２，３の一部が、上記両布帛２，３を縫製する際に、縫製されておらず、この（縫製されていない）部分に形成される隙間で、上記反転通過用開口部１１が構成されている。
【００１８】
６は内袋であり、外部からパウダー化粧料４を充填して内部に収容できるようにしている。この内袋６は、図５〜図７に示すように、内部にパウダー化粧料４が収容される円形袋状のパウダー収容部１３と、このパウダー収容部１３から延びる充填口部１４とからなり、この充填口部１４の先端開口がパウダー充填口１４ａに形成されている。また、上記内袋６は、目が非常に細かい（すなわち、パウダー化粧料４がほとんど通過しない）上側シート１５と、目が粗く形成された（すなわち、パウダー化粧料４が通過しうるパウダー化粧料４の通過面に形成された）下側シート１６とからなり、これら両シート１５，１６がともに織物，編物，不織布等からなっている。７は略円柱形状のスポンジ等のクッション材であり、上記パフ本体１内に、クッション材７を上側に配設し内袋６を下側に配設した（すなわち、内袋６の上側シート１５をクッション材７に対面させ下側シート１６を下側布帛３に対面させた）状態で、収容されている。このクッション材７により、内袋６内のパウダー化粧料４が上側布帛２側に移動するのを、防ぐことができ、しかも、上記内袋６の上側シート１５がパウダー化粧料４の通過面に形成されている場合にも、上記クッション材７で上記パウダー化粧料４の移動を防ぐことができる。また、上記収容状態では、上記充填口部１４は折り畳まれている（図４参照）。
【００１９】
また、図８に示す充填用容器（パフ用パウダー収容容器）２０を用い、上記内袋６のパウダー収容部１３にパウダー化粧料４を充填するようにしている。上記充填用容器２０は、内部にパウダー化粧料４が収容された上面開口を有する試験管形状の容器本体２１と、この容器本体２１の上端部の外周面に形成されたねじ部２１ａ（図９参照）に螺合する蓋部２２とからなり、上記容器本体２１の全体が、上記内袋６の充填口部１４に挿入可能な形状に形成されている。そして、上記容器本体２１から蓋部２２を取り外した（すなわち、開封した）状態で、上記容器本体２１を上記内袋６の充填口部１４に挿入し、上記容器本体２１の面開口から内袋６のパウダー収容部１３内にパウダー化粧料４を充填することを行う（図９参照）。
【００２０】
このような化粧用パフは、つぎのようにして製造することができる。すなわち、まず、上側布帛２と下側布帛３とを、互いに表面側を対面させて重ね合わせ、ついで、これら対面する両布帛２，３の外周縁部同士を、その一部を残して縫製し、つぎに、予め重ね合わせておいた内袋６とクッション材７と（このとき、内袋６の上側シート１５がクッション材７に対面するようにしておく）を、クッション材７と上側布帛２とが対面するように重ね合わせる。このとき、内袋６の充填口部１４を、上記残した部分に形成される開口（すなわち、反転通過用開口部）１１に対応する位置に位置決めし、この位置を通り、この位置から上記両布帛２，３外に延出させる延出状態にしておく。つぎに、上記反転通過用開口部１１に両布帛２，３を通して反転させるとともに、この反転の際に一緒に内袋６とクッション材７とを上記反転通過用開口部１１に通す（このとき、内袋６の下側シート１６が下側布帛３に対面するようになる）。また、上記反転の際には、内袋６の充填口部１４を反転通過用開口部１１に対応する位置から上記両布帛２，３外に延出させる延出状態を保持しておく。これにより、内袋６の充填口部１４を反転通過用開口部１１からパフ本体１外に突出させた状態で、内部に内袋６とクッション材７とが収容された袋状のパフ本体１を作製することができる（図１０参照）。つぎに、このパフ本体１を垂直姿勢にしてその反転通過用開口部１１を上に向け、パウダー化粧料４の充填機（図示せず）から延びるノズル１８（図１１参照。テープ５は図示せず）を、充填口部１４の充填口１４ａから充填口部１４内に挿入し、上記ノズル１８からパウダー化粧料４をパウダー収容部１３内に噴出して所定量を収容し、つぎに、上記ノズル１８を充填口部１４から引き抜く。つぎに、内袋６の充填口部１４を折り畳みながらパフ本体１内に収容することを行う。なお、上記充填機に代えて、ポンプを用いてもよい。
【００２１】
また、内袋６内に収容したパウダー化粧料４を使い切った場合には、パフ本体１内に収容した充填口部１４を反転通過用開口部１１からパフ本体１外に引き出し、上記充填口部１４に充填用容器２０を開蓋した状態で挿入し、充填用容器２０の上面開口から交換用のパウダー化粧料４を充填して内袋６のパウダー収容部１３内に収容し、そののち、上記充填口部１４から充填用容器２０を引き出し、再度充填口部１４をパフ本体１内に収容することを行う。
【００２２】
このように、上記実施の形態では、内袋６内に収容したパウダー化粧料４を使い切っても、簡単に交換用のパウダー化粧料４を充填して内袋６内に収容することができるため、継続使用が可能で、かつ安価でもある。しかも、２枚の布帛２，３を反転させる作業時には、内袋６内にパウダー化粧料４が収容されていないため、パウダー化粧料４が漏れたり、こぼれたりして、パフ本体１や周囲の他物等を汚したり、仕上がり状態が悪くなったりすることがないうえ、反転通過用開口部１１を通過させやすくなり、高度な技術を必要とせず、作業が非常にしやすくなる。しかも、最終工程でパウダー化粧料４を内袋６内に充填するため、工程中でパフ本体１や周囲の他物等を汚すことがない。しかも、２枚の布帛２，３を縫製するにも、位置合わせや段階的に縫製する必要がないため、少ない工程で容易に実施することができるうえ、製造コストが安価になる。しかも、最終工程にてパウダー化粧料４を充填するため、工程中にて製品を汚すことがない。しかも、上記両布帛２，３を縫製する際にも、位置合わせをしたり、段階的に縫製したりする必要がなく、少ない工程で容易に縫製することができうえ、製造コストが安価になる。しかも、再充填の作業は、充填用容器２０を用い、簡単に行える。
【００２３】
図１２は上記内袋６の変形例を示している。この例では、上記内袋６の充填口部１４の充填口１４ａの上側シート１５もしくは下側シート１６（この例では、上側シート１５）から舌片（引き出し手段）２１が延設されており、充填口部１４を反転通過用開口部１１からパフ本体１外に引き出す際に利用される。それ以外の部分は上記実施の形態と同様であり、同様の部分には同じ符号を付している。この例の内袋６を用いた場合にも、上記実施の形態と同様の作用・効果を奏する。
【００２４】
図１３は上記内袋６の他の変形例を示している。この例では、リング（引き出し手段）２２を準備し、上記内袋６の充填口部１４を折り畳んでパフ本体１内に収容する際に、充填口部１４にリング２２を挿入し、これを、折り畳んだ充填口部１４の部分で保持するようにしている。上記リング２２も、上記充填口部１４を反転通過用開口部１１からパフ本体１外に引き出す際に利用される。それ以外の部分は上記実施の形態と同様であり、同様の部分には同じ符号を付している。この例の内袋６を用いた場合にも、上記実施の形態と同様の作用・効果を奏する。
【００２５】
図１４は上記内袋６のさらに他の変形例を示している。この例では、上記内袋６の充填口部１４の折り返し部分（すなわち、上記内袋６の充填口部１４を折り畳んでパフ本体１内に収容する際に、生じる折り返し部分）もしくはその近傍に紐（引き出し手段）２３をに固定するようにしている。上記紐２３も、上記充填口部１４を反転通過用開口部１１からパフ本体１外に引き出す際に利用される。それ以外の部分は上記実施の形態と同様であり、同様の部分には同じ符号を付している。この例の内袋６を用いた場合にも、上記実施の形態と同様の作用・効果を奏する。
【００２６】
図１５は上記充填用容器２０の変形例を示している。この例では、上記充填用容器２０は、内部にパウダー化粧料４が収容された合成樹脂製もしくは紙製等の筒状の容器本体２４（この容器本体２４の両端部はヒートシール等により閉塞されている）と、この容器本体２４の一端部近傍に形成された切取可能部２５（切り目等）とからなっており、使用時には、上記容器本体２４から切取可能部２５を切り取り、開封することを行う（図１６参照）。
【００２７】
なお、上記実施の形態において、クッション材７はなくてもよい。また、パウダー化粧料４を充填していない化粧用パフと、充填用のパウダー化粧料４とをセットにして販売することも可能である。
【００２８】
また、上記実施の形態において、反転通過用開口部１１が、テープ５の両端部の一方に対応する部分に設けられていてもよい。この場合には、テープ５を上方に折り返すことにより、上記反転通過用開口部１１をテープ５で隠すことができる。したがって、上記反転通過用開口部１１を封緘する手段（例えば、面ファスナー，ジッパー，ボタン等）を用いることなく、上記反転通過用開口部１１を隠すことができるため、製造工程やコストをより一層削減することができる。
【図面の簡単な説明】
【００２９】
【図１】本発明のパフの一実施の形態を示す平面図である。
【図２】上記パフの正面図である。
【図３】上記パフの断面図である。
【図４】上記パフの要部の断面図である。
【図５】内袋の平面図である。
【図６】上記内袋の側面図である。
【図７】上記内袋の正面図である。
【図８】充填用容器の斜視図である。
【図９】上記充填用容器の開封状態を示す斜視図である。
【図１０】上記パフの製造方法を示す断面図である。
【図１１】上記パフの製造方法を示す説明図である。
【図１２】上記内袋の変形例を示す斜視図である。
【図１３】上記内袋の他の変形例を示す斜視図である。
【図１４】上記内袋のさらに他の変形例を示す斜視図である。
【図１５】上記充填用容器の変形例を示す斜視図である。
【図１６】上記充填用容器の開封状態を示す斜視図である。
【図１７】従来例を示す断面図である。
【図１８】他の従来例を示す断面図である。
【図１９】さらに他の従来例を示す断面図である。
【符号の説明】
【００３０】
１  パフ本体
４  パウダー化粧料
６  内袋
１１  反転通過用開口部
１４  充填口部
【図１】
2005296495.tif 000003
【図２】
2005296495.tif 000004
【図３】
2005296495.tif 000005
【図４】
2005296495.tif 000006
【図５】
2005296495.tif 000007
【図６】
2005296495.tif 000008
【図７】
2005296495.tif 000009
【図８】
2005296495.tif 000010
【図９】
2005296495.tif 000011
【図１０】
2005296495.tif 000012
【図１１】
2005296495.tif 000013
【図１２】
2005296495.tif 000014
【図１３】
2005296495.tif 000015
【図１４】
2005296495.tif 000016
【図１５】
2005296495.tif 000017
【図１６】
2005296495.tif 000018
【図１７】
2005296495.tif 000019
【図１８】
2005296495.tif 000020
【図１９】
2005296495.tif 000021